(57)【要約】  チリングユニットは、第１の冷媒回路と、第２の冷媒回路と、を有する上流系統回路と、第３の冷媒回路と、第４の冷媒回路と、を有する下流系統回路と、第１の枝回路と、第２の枝回路と、を有する熱媒体回路と、熱媒体回路において第３の冷媒熱媒体間熱交換器及び第４の冷媒熱媒体間熱交換器の下流側に設けられ、熱媒体の温度を検出する出口温度検出部と、第１の圧縮機、第２の圧縮機、第３の圧縮機及び第４の圧縮機の動作を制御する制御部と、を備え、制御部は、出口温度検出部によって検出された熱媒体の温度が温度閾値以下であるかを判定する判定手段と、判定手段によって熱媒体の温度が温度閾値以下と判定された場合、第１の圧縮機、第２の圧縮機、第３の圧縮機又は第４の圧縮機の運転周波数を増加させる増加手段と、を有する。
2021024404.tif 000002
【特許請求の範囲】
【請求項１】
第１の圧縮機、第１の熱源熱交換器、第１の膨張部及び第１の冷媒熱媒体間熱交換器が第１の冷媒配管により接続され、冷媒が流れる第１の冷媒回路と、第２の圧縮機、第２の熱源熱交換器、第２の膨張部及び第２の冷媒熱媒体間熱交換器が第２の冷媒配管により接続され、冷媒が流れる第２の冷媒回路と、を有する上流系統回路と、
第３の圧縮機、第３の熱源熱交換器、第３の膨張部及び第３の冷媒熱媒体間熱交換器が第３の冷媒配管により接続され、冷媒が流れる第３の冷媒回路と、第４の圧縮機、第４の熱源熱交換器、第４の膨張部及び第４の冷媒熱媒体間熱交換器が第４の冷媒配管により接続され、冷媒が流れる第４の冷媒回路と、を有する下流系統回路と、
前記第１の冷媒熱媒体間熱交換器と前記第３の冷媒熱媒体間熱交換器とが第１の枝配管によって直列に接続され、前記第１の冷媒熱媒体間熱交換器から前記第３の冷媒熱媒体間熱交換器に向かって熱媒体が流れる第１の枝回路と、前記第２の冷媒熱媒体間熱交換器と前記第４の冷媒熱媒体間熱交換器とが第２の枝配管によって直列に接続され、前記第２の冷媒熱媒体間熱交換器から前記第４の冷媒熱媒体間熱交換器に向かって熱媒体が流れる第２の枝回路と、を有する熱媒体回路と、
前記熱媒体回路において前記第３の冷媒熱媒体間熱交換器及び前記第４の冷媒熱媒体間熱交換器の下流側に設けられ、熱媒体の温度を検出する出口温度検出部と、
前記第１の圧縮機、前記第２の圧縮機、前記第３の圧縮機及び前記第４の圧縮機の動作を制御する制御部と、を備え、
前記制御部は、
前記出口温度検出部によって検出された熱媒体の温度が温度閾値以下であるかを判定する判定手段と、
前記判定手段によって熱媒体の温度が温度閾値以下と判定された場合、前記第１の圧縮機、前記第２の圧縮機、前記第３の圧縮機又は前記第４の圧縮機の運転周波数を増加させる増加手段と、を有する
チリングユニット。
【請求項２】
前記第１の熱源熱交換器、前記第２の熱源熱交換器、前記第３の熱源熱交換器及び前記第４の熱源熱交換器に囲まれた空間を、前記上流系統回路が設けられる第１の室と、前記下流系統回路が設けられる第２の室とに区画する仕切部と、を更に備える
請求項１記載のチリングユニット。
【請求項３】
前記制御部は、
前記第１の冷媒回路において冷媒が前記第１の圧縮機、前記第１の冷媒熱媒体間熱交換器、前記第１の膨張部及び前記第１の熱源熱交換器の順に流れ、前記第２の冷媒回路において冷媒が前記第２の圧縮機、前記第２の冷媒熱媒体間熱交換器、前記第２の膨張部及び前記第２の熱源熱交換器の順に流れ、前記第３の冷媒回路において冷媒が前記第３の圧縮機、前記第３の冷媒熱媒体間熱交換器、前記第３の膨張部及び前記第３の熱源熱交換器の順に流れ、前記第４の冷媒回路において冷媒が前記第４の圧縮機、前記第４の冷媒熱媒体間熱交換器、前記第４の膨張部及び前記第４の熱源熱交換器の順に流れる加熱運転モードと、
前記第１の冷媒回路において冷媒が前記第１の圧縮機、前記第１の熱源熱交換器、前記第１の膨張部及び前記第１の冷媒熱媒体間熱交換器の順に流れ、前記第２の冷媒回路において冷媒が前記第２の圧縮機、前記第２の冷媒熱媒体間熱交換器、前記第２の膨張部及び前記第２の熱源熱交換器の順に流れ、前記第３の冷媒回路において冷媒が前記第３の圧縮機、前記第３の熱源熱交換器、前記第３の膨張部及び前記第３の冷媒熱媒体間熱交換器の順に流れ、前記第４の冷媒回路において冷媒が前記第４の圧縮機、前記第４の冷媒熱媒体間熱交換器、前記第４の膨張部及び前記第４の熱源熱交換器の順に流れる上流除霜加熱混在運転モードと、
前記第２の冷媒回路において冷媒が前記第２の圧縮機、前記第２の熱源熱交換器、前記第２の膨張部及び前記第２の冷媒熱媒体間熱交換器の順に流れ、前記第１の冷媒回路において冷媒が前記第１の圧縮機、前記第１の冷媒熱媒体間熱交換器、前記第１の膨張部及び前記第１の熱源熱交換器の順に流れ、前記第４の冷媒回路において冷媒が前記第４の圧縮機、前記第４の熱源熱交換器、前記第４の膨張部及び前記第４の冷媒熱媒体間熱交換器の順に流れ、前記第３の冷媒回路において冷媒が前記第３の圧縮機、前記第３の冷媒熱媒体間熱交換器、前記第３の膨張部及び前記第３の熱源熱交換器の順に流れる下流除霜加熱混在運転モードと、を有する
請求項１又は２記載のチリングユニット。
【請求項４】
前記増加手段は、
前記上流除霜加熱混在運転モードにおいて、前記第３の圧縮機及び前記第４の圧縮機の運転周波数を増加させる
請求項３記載のチリングユニット。
【請求項５】
前記増加手段は、
前記下流除霜加熱混在運転モードにおいて、前記第１の圧縮機及び前記第２の圧縮機の運転周波数を増加させる
請求項３又は４記載のチリングユニット。
【請求項６】
請求項１〜５のいずれか１項に記載のチリングユニットが複数設けられ、
前記増加手段は、
複数の前記チリングユニットが有する各前記出口温度検出部によって検出された出口温度に基づいて、各前記第１の圧縮機、各前記第２の圧縮機、各前記第３の圧縮機又は各前記第４の圧縮機の運転周波数を増加させる
空気調和システム。
【発明の詳細な説明】
【技術分野】
【０００１】
本発明は、冷媒回路と熱媒体回路とを備えるチリングユニット及び空気調和システムに関する。
【背景技術】
【０００２】
従来、複数の冷媒回路が１つの筐体に収納されたチリングユニットが知られている。特許文献１には、第１の冷凍サイクルと第２の冷凍サイクルとに接続された第１の水熱交換器と、第３の冷凍サイクルと第４の冷凍サイクルとに接続された第２の水熱交換器とを備え、第１の水熱交換器と第２の水熱交換器とが水配管によって直列に接続された熱源ユニットが開示されている。特許文献１は、各冷凍サイクルが独立した送風機室に設けられており、冷凍サイクル毎に除霜運転が行われる。特許文献１は、２つの冷凍サイクルで共通の水熱交換器を使用するデュアルサーキット方式が採用されており、冷却運転及び加熱運転を混在して実行する。
【先行技術文献】
【特許文献】
【０００３】
【特許文献１】特開２０１７−１２９３５７号公報
【発明の概要】
【発明が解決しようとする課題】
【０００４】
しかしながら、特許文献１に開示された熱源ユニットは、２つの冷凍サイクルで共通の水熱交換器が使用されているため、冷却運転又は除霜運転と加熱運転とを混在して実行すると、水配管の内部に温水と冷水とのいずれもが流れる。このため、加熱運転が要求されている空調対象空間が冷える。【０００５】
本発明は、上記のような課題を解決するためになされたものであり、加熱運転が要求され空調対象空間が冷えることを抑制するチリングユニット及び空気調和システムを提供することを目的とする。
【課題を解決するための手段】
【０００６】
本発明に係るチリングユニットは、第１の圧縮機、第１の熱源熱交換器、第１の膨張部及び第１の冷媒熱媒体間熱交換器が第１の冷媒配管により接続され、冷媒が流れる第１の冷媒回路と、第２の圧縮機、第２の熱源熱交換器、第２の膨張部及び第２の冷媒熱媒体間熱交換器が第２の冷媒配管により接続され、冷媒が流れる第２の冷媒回路と、を有する上流系統回路と、第３の圧縮機、第３の熱源熱交換器、第３の膨張部及び第３の冷媒熱媒体間熱交換器が第３の冷媒配管により接続され、冷媒が流れる第３の冷媒回路と、第４の圧縮機、第４の熱源熱交換器、第４の膨張部及び第４の冷媒熱媒体間熱交換器が第４の冷媒配管により接続され、冷媒が流れる第４の冷媒回路と、を有する下流系統回路と、第１の冷媒熱媒体間熱交換器と第３の冷媒熱媒体間熱交換器とが第１の枝配管によって直列に接続され、第１の冷媒熱媒体間熱交換器から第３の冷媒熱媒体間熱交換器に向かって熱媒体が流れる第１の枝回路と、第２の冷媒熱媒体間熱交換器と第４の冷媒熱媒体間熱交換器とが第２の枝配管によって直列に接続され、第２の冷媒熱媒体間熱交換器から第４の冷媒熱媒体間熱交換器に向かって熱媒体が流れる第２の枝回路と、を有する熱媒体回路と、熱媒体回路において第３の冷媒熱媒体間熱交換器及び第４の冷媒熱媒体間熱交換器の下流側に設けられ、熱媒体の温度を検出する出口温度検出部と、第１の圧縮機、第２の圧縮機、第３の圧縮機及び第４の圧縮機の動作を制御する制御部と、を備え、制御部は、出口温度検出部によって検出された熱媒体の温度が温度閾値以下であるかを判定する判定手段と、判定手段によって熱媒体の温度が温度閾値以下と判定された場合、第１の圧縮機、第２の圧縮機、第３の圧縮機又は第４の圧縮機の運転周波数を増加させる増加手段と、を有する。
【発明の効果】
【０００７】
本発明によれば、増加手段は、熱媒体の温度が温度閾値以下の場合、第１の圧縮機、第２の圧縮機、第３の圧縮機又は第４の圧縮機の運転周波数を増加させる。このため、例えば除霜運転と加熱運転とが混在する運転が行われても、加熱能力を高め、熱媒体の温度を高めることができる。従って、冷却運転又は除霜運転と加熱運転とが混在して実行されても、加熱運転が要求されている空調対象空間が冷えることを抑制することができる。
【図面の簡単な説明】
【０００８】
【図１】実施の形態１に係るチリングユニットを示す斜視図である。
【図２】実施の形態１に係るチリングユニットを示す側面図である。
【図３】実施の形態１に係るチリングユニットを示す機械室の斜視図である。
【図４】実施の形態１に係るチリングユニットにおける第１の熱源熱交換器の配置を模式的に示す図である。
【図５】実施の形態１のチリングユニットを示す回路図である。
【図６】実施の形態１に係るチリングユニットを示す上面図である。
【図７】実施の形態１に係る第１の冷媒熱媒体間熱交換器及び第３の冷媒熱媒体間熱交換器を示す背面斜視図である。
【図８】実施の形態１に係る第１の中間温度検出部を示す模式図である。
【図９】実施の形態１に係る制御部の機能ブロック図である。
【図１０】実施の形態１に係る制御部の動作を示すタイミングチャートである。
【図１１】実施の形態１に係る制御部の動作を示すフローチャートである。
【図１２】実施の形態２に係る複数のチリングユニットを示す斜視図である。
【図１３】実施の形態２に係る複数のチリングユニットを示す模式図である。
【発明を実施するための形態】
【０００９】
以下、本発明のチリングユニット及び空気調和システムの実施の形態について、図面を参照しながら説明する。なお、本発明は、以下に説明する実施の形態によって限定されるものではない。また、図１を含め、以下の図面では各構成部材の大きさの関係が実際のものとは異なる場合がある。また、以下の説明において、本発明の理解を容易にするために方向を表す用語を適宜用いるが、これは本発明を説明するためのものであって、これらの用語は本発明を限定するものではない。方向を表す用語としては、例えば、「上」、「下」、「右」、「左」、「前」又は「後」等が挙げられる。
【００１０】
実施の形態１．
図１は、実施の形態１に係るチリングユニット１００を示す斜視図である。図２は、実施の形態１に係るチリングユニット１００を示す側面図である。図３は、実施の形態１に係るチリングユニット１００を示す機械室４の斜視図である。図４は、実施の形態１に係るチリングユニット１００における第１の熱源熱交換器１Ａの配置を模式的に示す図である。図２は、チリングユニット１００を図１の矢印Ａの方向からみた図である。図３は、図２に示す側面の反対側の側面から機械室４をみた図である。図４は、第１の熱源熱交換器１Ａ、第２の熱源熱交換器１Ｂ、第３の熱源熱交換器１Ｃ及び第４の熱源熱交換器１Ｄをチリングユニット１００の上方からみた図である。本実施の形態１のチリングユニット１００は、不図示の利用側ユニットからチリングユニット１００に水又は不凍液等の熱媒体が供給され、その熱媒体は、チリングユニット１００において冷却又は加熱され、利用側ユニットに送給される。このように熱媒体が循環することにより、利用側ユニットに冷熱又は温熱が供給される。
【００１１】
図１〜図４に示すように、チリングユニット１００は、熱源側の冷凍サイクルを構成する第１の熱源熱交換器１Ａ、第２の熱源熱交換器１Ｂ、第３の熱源熱交換器１Ｃ、及び第４の熱源熱交換器１Ｄを有している。また、チリングユニット１００は、第１の送風機５Ａ、第２の送風機５Ｂ、第３の送風機５Ｃ、及び第４の送風機５Ｄを有している。また、チリングユニット１００には、直方体状の機械室４が形成されている。
【００１２】
第１の熱源熱交換器１Ａ、第２の熱源熱交換器１Ｂ、第３の熱源熱交換器１Ｃ、及び第４の熱源熱交換器１Ｄの上方には、天枠６０が設けられている。天枠６０には、上述の第１の送風機５Ａ、第２の送風機５Ｂ、第３の送風機５Ｃ、及び第４の送風機５Ｄが設けられている。第１の送風機５Ａ、第２の送風機５Ｂ、第３の送風機５Ｃ、及び第４の送風機５Ｄは、それぞれ不図示のファンガードで覆われている。
【００１３】
図１において機械室４が占める空間は点線で示されている。機械室４には、台枠４１と、４本の門柱と、４本の中間柱と、上部梁４４とが設けられている。４本の門柱は、門柱４２Ａ、門柱４２Ｂ、門柱４２Ｃ、及び門柱４２Ｄからなる。４本の中間柱は、中間柱４３Ａ、中間柱４３Ｂ、中間柱４３Ｃ、及び中間柱４３Ｄからなる。台枠４１は長方形状をなす板状の部材である。門柱４２Ａ、門柱４２Ｂ、門柱４２Ｃ、及び門柱４２Ｄは、台枠４１の４つの角部において、台枠４１と直交する方向に延びるよう設けられている。中間柱４３Ａ及び中間柱４３Ｂは、台枠４１の長手方向において、門柱４２Ａと門柱４２Ｃとの間に、間隔をあけて設けられている。
【００１４】
中間柱４３Ｃ及び中間柱４３Ｄは、台枠４１の長手方向において、門柱４２Ｂと門柱４２Ｄとの間に、間隔をあけて設けられている。中間柱４３Ａ、中間柱４３Ｂ、中間柱４３Ｃ、及び中間柱４３Ｄは、台枠４１と直交する方向に延びるよう設けられている。上部梁４４は、門柱４２Ａ、門柱４２Ｂ、門柱４２Ｃ、及び門柱４２Ｄ、並びに中間柱４３Ａ、中間柱４３Ｂ、中間柱４３Ｃ、及び中間柱４３Ｄの上に設けられている。機械室４には複数の要素機器が設置されている。機械室４に設置されている複数の機器には、例えば第１の冷媒熱媒体間熱交換器３Ａ、第１の冷媒回路１９Ａを構成する第１の圧縮機２０Ａ、及び制御部３０が含まれている。なお、門柱４２Ａ、門柱４２Ｂ、門柱４２Ｃ、及び門柱４２Ｄを総称して門柱４２という場合がある。また、中間柱４３Ａ、中間柱４３Ｂ、中間柱４３Ｃ、及び中間柱４３Ｄを総称して中間柱４３という場合がある。
【００１５】
さらに、図２に示すように、機械室４の短手方向において対向する第１の熱源熱交換器１Ａと第２の熱源熱交換器１Ｂとは、機械室４から遠い側の端部同士の間隔が機械室４に近い側の端部同士の間隔よりも大きくなるよう傾けられている。すなわち、第１の熱源熱交換器１Ａと第２の熱源熱交換器１Ｂとは、チリングユニット１００の側方からみたときＶ字を形成するよう傾けられている。機械室４の短手方向において対向する第３の熱源熱交換器１Ｃと第４の熱源熱交換器１Ｄとも、同様にＶ字状となるよう傾けられている。本実施の形態１では、第１の熱源熱交換器１Ａの傾斜角度αは６５度〜８０度である。第２の熱源熱交換器１Ｂ、第３の熱源熱交換器１Ｃ、及び第４の熱源熱交換器１Ｄの傾斜角度も同様である。
【００１６】
図３に示すように、機械室４の上部梁４４にはベース１０が設けられている。ベース１０は、門柱４２及び中間柱４３により支持されている。ベース１０には複数のゴムシートが設けられている。第１の熱源熱交換器１Ａ、第２の熱源熱交換器１Ｂ、第３の熱源熱交換器１Ｃ、及び第４の熱源熱交換器１Ｄは、ゴムシートを介してベース１０に配置されている。そして、第１の熱源熱交換器１Ａ、第２の熱源熱交換器１Ｂ、第３の熱源熱交換器１Ｃ、及び第４の熱源熱交換器１Ｄは、上述の態様で傾斜している。第１の熱源熱交換器１Ａと第３の熱源熱交換器１Ｃとの間には側面パネル５０が設けられている。第１の熱源熱交換器１Ａと第２の熱源熱交換器１Ｂとの間には側面パネル５１が設けられている。なお、第２の熱源熱交換器１Ｂと第４の熱源熱交換器１Ｄとの間にも側面パネル５０と同様の側面パネル（図示省略）が設けられている。また、第３の熱源熱交換器１Ｃと第４の熱源熱交換器１Ｄとの間には側面パネル５１と同様の側面パネル（図示省略）が設けられている。
【００１７】
第１の熱源熱交換器１Ａ、第２の熱源熱交換器１Ｂ、第３の熱源熱交換器１Ｃ及び第４の熱源熱交換器１Ｄは、パラレルフロー型の熱交換器であり、一対のヘッダと、複数のアルミ扁平管と、複数のコルゲートフィンとを有している。複数のアルミ扁平管は一対のヘッダの間に設けられており、その両端部はヘッダに接続されている。一対のヘッダの間において、複数のアルミ扁平管は間隔をあけて平行に配置されており、それぞれの平坦部が対向している。コルゲートフィンは、複数のアルミ扁平管の対向する平坦部の間に設けられている。
【００１８】
図４に示すように、第１の熱源熱交換器１Ａ〜第４の熱源熱交換器１Ｄは、アルミ扁平管に直交する方向からみたとき、アルミ扁平管の長手方向の中央から若干逸れた位置において９０度の角度で折り曲げられている。すなわち、第１の熱源熱交換器１Ａ、第２の熱源熱交換器１Ｂ、第３の熱源熱交換器１Ｃ及び第４の熱源熱交換器１Ｄは、ヘッダの一方の端部からみたとき、Ｌ字を呈している。第１の熱源熱交換器１Ａと第２の熱源熱交換器１Ｂとは、機械室４の短手方向に沿って対向し、第３の熱源熱交換器１Ｃと第４の熱源熱交換器１Ｄとは、機械室４の短手方向に沿って対向している。また、第１の熱源熱交換器１Ａと第３の熱源熱交換器１Ｃとは、機械室４の長手方向に沿って並置され、第２の熱源熱交換器１Ｂと第４の熱源熱交換器１Ｄとは、機械室４の長手方向に沿って並置されている。
【００１９】
更に、第１の熱源熱交換器１Ａの短辺部１ＡＳと第２の熱源熱交換器１Ｂの短辺部１ＢＳとは、機械室４の長手方向において対向し、第３の熱源熱交換器１Ｃの短辺部１ＣＳと第４の熱源熱交換器１Ｄの短辺部１ＤＳとは、機械室４の長手方向において対向している。また、第１の熱源熱交換器１Ａの長辺部１ＡＬと第３の熱源熱交換器１Ｃの長辺部１ＣＬとは、機械室４の長手方向に沿って並置されている。第２の熱源熱交換器１Ｂの長辺部１ＢＬと第４の熱源熱交換器１Ｄの長辺部１ＤＬとは、機械室４の長手方向に沿って並置されている。このように、第１の熱源熱交換器１Ａと第２の熱源熱交換器１Ｂとで、長方形状をなしている。なお、第１の熱源熱交換器１Ａにおける短辺部１ＡＳと長辺部１ＡＬとの交点である角部１ＡＥは、長方形の一隅に位置している。第２の熱源熱交換器１Ｂにおける短辺部１ＢＳと長辺部１ＢＬとの交点である角部１ＢＥは、長方形の一隅に位置している。また、第３の熱源熱交換器１Ｃと第４の熱源熱交換器１Ｄとで、長方形状をなしている。なお、第３の熱源熱交換器１Ｃにおける短辺部１ＣＳと長辺部１ＣＬとの交点である角部１ＣＥは、長方形の一隅に位置している。第４の熱源熱交換器１Ｄにおける短辺部１ＤＳと長辺部１ＤＬとの交点である角部１ＤＥは、長方形の一隅に位置している。なお、図４に示す各熱源熱交換器の配置は、一例に過ぎず、異なる配置としてもよい。
【００２０】
本実施の形態１のチリングユニット１００は、供給される空気の流れの方向が第１の熱源熱交換器１Ａ、第２の熱源熱交換器１Ｂ、第３の熱源熱交換器１Ｃ及び第４の熱源熱交換器１Ｄのアルミ扁平管の長辺部と交差するように配置される。従って、供給される空気は、複数のアルミ扁平管の対向する平坦部の間に導かれ、アルミ扁平管において長手方向と直交する幅方向に沿って流れることとなる。
【００２１】
図５は、実施の形態１のチリングユニット１００を示す回路図である。図５に示すように、チリングユニット１００は、上流系統回路１８Ａと、下流系統回路１８Ｂと、熱媒体回路１５と、第１の中間温度検出部３５Ａと、第２の中間温度検出部３５Ｂと、出口温度検出部３６と、制御部３０とを備えている。
【００２２】
図６は、実施の形態１に係るチリングユニット１００を示す上面図である。図６に示すように、チリングユニット１００は、上流系統回路１８Ａ及び下流系統回路１８Ｂを有しており、仕切部６を有している。仕切部６は、第１の熱源熱交換器１Ａ、第２の熱源熱交換器１Ｂ、第３の熱源熱交換器１Ｃ及び第４の熱源熱交換器１Ｄに囲まれた空間を、上流系統回路１８Ａが設けられる第１の室６Ａと、下流系統回路１８Ｂが設けられる第２の室６Ｂとに区画する。これにより、上流系統回路１８Ａと下流系統回路１８Ｂとで、異なる運転モードを実行することができる。また、上流系統回路１８Ａにおける第１の冷媒回路１９Ａ及び第２の冷媒回路１９Ｂは同じ運転モードを実行し、下流系統回路１８Ｂにおける第３の冷媒回路１９Ｃ及び第４の冷媒回路１９Ｄも同じ運転モードを実行する。なお、図６に示す各熱源熱交換器の配置は、一例に過ぎず、異なる配置としてもよい。
【００２３】
図７は、実施の形態１に係る第１の冷媒熱媒体間熱交換器３Ａ及び第３の冷媒熱媒体間熱交換器３Ｃを示す背面斜視図である。図７に示すように、第１の冷媒熱媒体間熱交換器３Ａ及び第３の冷媒熱媒体間熱交換器３Ｃは、密着して隣接している。これは、上流系統回路１８Ａ内における第１の冷媒回路１９Ａ及び第２の冷媒回路１９Ｂは同じ運転モードを実行するため、冷加熱混在運転の際に温度が安定するまでに必要な助走距離が不要であることによる。助走距離が不要であるため、熱媒体回路１５における第１の枝回路１５Ａを構成する第１の枝配管７１Ａの長さを短くできる。これにより、結果として、第１の冷媒熱媒体間熱交換器３Ａ及び第３の冷媒熱媒体間熱交換器３Ｃを密着させることができる。
【００２４】
（上流系統回路１８Ａ）
上流系統回路１８Ａは、図５に示すように、熱媒体回路１５に流れる熱媒体の上流側に位置する冷媒回路を示すものであり、第１の冷媒回路１９Ａ及び第２の冷媒回路１９Ｂを有する。
【００２５】
（第１の冷媒回路１９Ａ）
第１の冷媒回路１９Ａは、第１の圧縮機２０Ａ、第１の流路切替装置２１Ａ、第１の熱源熱交換器１Ａ、第１の膨張部２２Ａ及び第１の冷媒熱媒体間熱交換器３Ａが第１の冷媒配管７０Ａにより接続されるものである。第１の圧縮機２０Ａは、低温且つ低圧の状態の冷媒を吸入し、吸入した冷媒を圧縮して高温且つ高圧の状態の冷媒にして吐出するものである。第１の流路切替装置２１Ａは、第１の冷媒回路１９Ａにおいて冷媒が流れる方向を切り替えるものであり、例えば四方弁である。第１の熱源熱交換器１Ａは、例えば室外空気と冷媒との間で熱交換する空気熱交換器である。第１の熱源熱交換器１Ａは、冷却運転時には凝縮器として作用し、加熱運転時には蒸発器として作用する。第１の送風機５Ａは、第１の熱源熱交換器１Ａに室外空気を送る機器である。第１の膨張部２２Ａは、冷媒を減圧して膨張する減圧弁又は膨張弁である。第１の膨張部２２Ａは、例えば開度が調整される電子式膨張弁である。第１の冷媒熱媒体間熱交換器３Ａは、熱媒体回路１５に流れる熱媒体と冷媒との間で熱交換するものである。第１の冷媒熱媒体間熱交換器３Ａは、冷却運転時には蒸発器として作用し、加熱運転時には凝縮器として作用する。
【００２６】
（第２の冷媒回路１９Ｂ）
第２の冷媒回路１９Ｂは、第２の圧縮機２０Ｂ、第２の流路切替装置２１Ｂ、第２の熱源熱交換器１Ｂ、第２の膨張部２２Ｂ及び第２の冷媒熱媒体間熱交換器３Ｂが第２の冷媒配管７０Ｂにより接続されるものである。第２の圧縮機２０Ｂは、低温且つ低圧の状態の冷媒を吸入し、吸入した冷媒を圧縮して高温且つ高圧の状態の冷媒にして吐出するものである。第２の流路切替装置２１Ｂは、第２の冷媒回路１９Ｂにおいて冷媒が流れる方向を切り替えるものであり、例えば四方弁である。第２の熱源熱交換器１Ｂは、例えば室外空気と冷媒との間で熱交換する空気熱交換器である。第２の熱源熱交換器１Ｂは、冷却運転時には凝縮器として作用し、加熱運転時には蒸発器として作用する。第２の送風機５Ｂは、第２の熱源熱交換器１Ｂに室外空気を送る機器である。第２の膨張部２２Ｂは、冷媒を減圧して膨張する減圧弁又は膨張弁である。第２の膨張部２２Ｂは、例えば開度が調整される電子式膨張弁である。第２の冷媒熱媒体間熱交換器３Ｂは、熱媒体回路１５に流れる熱媒体と冷媒との間で熱交換するものである。第２の冷媒熱媒体間熱交換器３Ｂは、冷却運転時には蒸発器として作用し、加熱運転時には凝縮器として作用する。
【００２７】
（下流系統回路１８Ｂ）
下流系統回路１８Ｂは、熱媒体回路１５に流れる熱媒体の下流側に位置する冷媒回路を示すものであり、第３の冷媒回路１９Ｃ及び第４の冷媒回路１９Ｄを有する。
【００２８】
（第３の冷媒回路１９Ｃ）
第３の冷媒回路１９Ｃは、第３の圧縮機２０Ｃ、第３の流路切替装置２１Ｃ、第３の熱源熱交換器１Ｃ、第３の膨張部２２Ｃ及び第３の冷媒熱媒体間熱交換器３Ｃが第３の冷媒配管７０Ｃにより接続されるものである。第３の圧縮機２０Ｃは、低温且つ低圧の状態の冷媒を吸入し、吸入した冷媒を圧縮して高温且つ高圧の状態の冷媒にして吐出するものである。第３の流路切替装置２１Ｃは、第３の冷媒回路１９Ｃにおいて冷媒が流れる方向を切り替えるものであり、例えば四方弁である。第３の熱源熱交換器１Ｃは、例えば室外空気と冷媒との間で熱交換する空気熱交換器である。第３の熱源熱交換器１Ｃは、冷却運転時には凝縮器として作用し、加熱運転時には蒸発器として作用する。第３の送風機５Ｃは、第３の熱源熱交換器１Ｃに室外空気を送る機器である。第３の膨張部２２Ｃは、冷媒を減圧して膨張する減圧弁又は膨張弁である。第３の膨張部２２Ｃは、例えば開度が調整される電子式膨張弁である。第３の冷媒熱媒体間熱交換器３Ｃは、熱媒体回路１５に流れる熱媒体と冷媒との間で熱交換するものである。第３の冷媒熱媒体間熱交換器３Ｃは、冷却運転時には蒸発器として作用し、加熱運転時には凝縮器として作用する。
【００２９】
（第４の冷媒回路１９Ｄ）
第４の冷媒回路１９Ｄは、第４の圧縮機２０Ｄ、第４の流路切替装置２１Ｄ、第４の熱源熱交換器１Ｄ、第４の膨張部２２Ｄ及び第４の冷媒熱媒体間熱交換器３Ｄが第４の冷媒配管７０Ｄにより接続されるものである。第４の圧縮機２０Ｄは、低温且つ低圧の状態の冷媒を吸入し、吸入した冷媒を圧縮して高温且つ高圧の状態の冷媒にして吐出するものである。第４の流路切替装置２１Ｄは、第４の冷媒回路１９Ｄにおいて冷媒が流れる方向を切り替えるものであり、例えば四方弁である。第４の熱源熱交換器１Ｄは、例えば室外空気と冷媒との間で熱交換する空気熱交換器である。第４の熱源熱交換器１Ｄは、冷却運転時には凝縮器として作用し、加熱運転時には蒸発器として作用する。第４の送風機５Ｄは、第４の熱源熱交換器１Ｄに室外空気を送る機器である。第４の膨張部２２Ｄは、冷媒を減圧して膨張する減圧弁又は膨張弁である。第４の膨張部２２Ｄは、例えば開度が調整される電子式膨張弁である。第４の冷媒熱媒体間熱交換器３Ｄは、熱媒体回路１５に流れる熱媒体と冷媒との間で熱交換するものである。第４の冷媒熱媒体間熱交換器３Ｄは、冷却運転時には蒸発器として作用し、加熱運転時には凝縮器として作用する。
【００３０】
（熱媒体回路１５）
熱媒体回路１５は、流入回路１６Ａと、流出回路１６Ｂと、第１の枝回路１５Ａと、第２の枝回路１５Ｂとを有している。
【００３１】
（流入回路１６Ａ）
流入回路１６Ａは、熱媒体が第１の枝回路１５Ａ及び第２の枝回路１５Ｂに分岐して流入する前の回路である。
【００３２】
（流出回路１６Ｂ）
流出回路１６Ｂは、熱媒体が第１の枝回路１５Ａ及び第２の枝回路１５Ｂから合流して流出した後の回路である。
【００３３】
（第１の枝回路１５Ａ）
第１の枝回路１５Ａは、第１の冷媒熱媒体間熱交換器３Ａと第３の冷媒熱媒体間熱交換器３Ｃとが第１の枝配管７１Ａによって直列に接続され、第１の冷媒熱媒体間熱交換器３Ａから第３の冷媒熱媒体間熱交換器３Ｃに向かって熱媒体が流れる回路である。
【００３４】
（第２の枝回路１５Ｂ）
第２の枝回路１５Ｂは、第２の冷媒熱媒体間熱交換器３Ｂと第４の冷媒熱媒体間熱交換器３Ｄとが第２の枝配管７１Ｂによって直列に接続され、第２の冷媒熱媒体間熱交換器３Ｂから第４の冷媒熱媒体間熱交換器３Ｄに向かって熱媒体が流れる回路である。
【００３５】
（第１の中間温度検出部３５Ａ）
図８は、実施の形態１に係る第１の中間温度検出部３５Ａを示す模式図である。図８に示すように、第１の中間温度検出部３５Ａは、第１の枝配管７１Ａが取り付けられる配管取付部（図示せず）の長さが短い。図７に示すように、第１の中間温度検出部３５Ａは、第３の冷媒熱媒体間熱交換器３Ｃと第１の枝配管７１Ａとが接続された部分に取り付けられる。第１の中間温度検出部３５Ａは、第１の冷媒熱媒体間熱交換器３Ａの流出口から配管長が４２０ｍｍ以内の位置に取り付けられる。本実施の形態１は、冷加熱混在運転の際に温度が安定するまでに必要な助走距離が不要であるため、第１の中間温度検出部３５Ａを第１の枝配管７１Ａの壁面に直接取り付けることができる。助走距離が必要な場合、温度検出部を配管に挿し込む必要が生じ、配管取付部の長さが長くなると共に、取付け加工費が高騰する。本実施の形態１は、第１の中間温度検出部３５Ａを第１の枝配管７１Ａの壁面に直接取り付けることができるため、配管取付部の長さが短く、取付け加工費を削減することができる。
【００３６】
（第２の中間温度検出部３５Ｂ）
第２の中間温度検出部３５Ｂは、第２の枝回路１５Ｂにおいて、第２の冷媒熱媒体間熱交換器３Ｂと第４の冷媒熱媒体間熱交換器３Ｄとの間に設けられている。第２の中間温度検出部３５Ｂは、第２の冷媒熱媒体間熱交換器３Ｂと第４の冷媒熱媒体間熱交換器３Ｄとの間に流れる熱媒体の温度を検出する。第２の中間温度検出部３５Ｂの構成は、第１の中間温度検出部３５Ａの構成と同様である。
【００３７】
（出口温度検出部３６）
出口温度検出部３６は、流出回路１６Ｂに設けられている。即ち、出口温度検出部３６は、熱媒体回路１５において第３の冷媒熱媒体間熱交換器３Ｃ及び第４の冷媒熱媒体間熱交換器３Ｄの下流側に設けられている。出口温度検出部３６は、流出回路１６Ｂに流れる熱媒体の温度を検出する。
【００３８】
（運転モード、冷却運転）
次に、空気調和システム２００の運転モードについて説明する。本実施の形態１の空気調和システム２００は、運転モードとして、冷却運転モード、加熱運転モード、上流除霜加熱混在運転モード及び下流除霜加熱混在運転モードを有している。先ず、冷却運転について説明する。冷却運転では、第１の冷媒回路１９Ａ、第２の冷媒回路１９Ｂ、第３の冷媒回路１９Ｃ及び第４の冷媒回路１９Ｄのいずれにおいても、冷媒の流れが同じである。
【００３９】
第１の冷媒回路１９Ａにおける冷媒の流れについて説明する。冷却運転において、第１の圧縮機２０Ａに吸入された冷媒は、第１の圧縮機２０Ａによって圧縮されて高温且つ高圧のガス状態で吐出する。第１の圧縮機２０Ａから吐出された高温且つ高圧のガス状態の冷媒は、第１の流路切替装置２１Ａを通過して、凝縮器として作用する第１の熱源熱交換器１Ａに流入する。そして冷媒は、第１の熱源熱交換器１Ａにおいて、第１の送風機５Ａによって送られる室外空気と熱交換されて凝縮して液化する。凝縮された液状態の冷媒は、第１の膨張部２２Ａに流入し、第１の膨張部２２Ａにおいて膨張及び減圧されて低温且つ低圧の気液二相状態の冷媒となる。そして、気液二相状態の冷媒は、蒸発器として作用する第１の冷媒熱媒体間熱交換器３Ａに流入し、第１の冷媒熱媒体間熱交換器３Ａにおいて、第１の枝回路１５Ａに流れる熱媒体と熱交換されて蒸発してガス化する。このとき、熱媒体が冷やされる。蒸発した低温且つ低圧のガス状態の冷媒は、第１の流路切替装置２１Ａを通過して、第１の圧縮機２０Ａに吸入される。
【００４０】
第２の冷媒回路１９Ｂにおける冷媒の流れについて説明する。冷却運転において、第２の圧縮機２０Ｂに吸入された冷媒は、第２の圧縮機２０Ｂによって圧縮されて高温且つ高圧のガス状態で吐出する。第２の圧縮機２０Ｂから吐出された高温且つ高圧のガス状態の冷媒は、第２の流路切替装置２１Ｂを通過して、凝縮器として作用する第２の熱源熱交換器１Ｂに流入する。そして冷媒は、第２の熱源熱交換器１Ｂにおいて、第２の送風機５Ｂによって送られる室外空気と熱交換されて凝縮して液化する。凝縮された液状態の冷媒は、第２の膨張部２２Ｂに流入する。そして冷媒は、第２の膨張部２２Ｂにおいて膨張及び減圧されて低温且つ低圧の気液二相状態の冷媒となる。そして、気液二相状態の冷媒は、蒸発器として作用する第２の冷媒熱媒体間熱交換器３Ｂに流入し、第２の冷媒熱媒体間熱交換器３Ｂにおいて、第２の枝回路１５Ｂに流れる熱媒体と熱交換されて蒸発してガス化する。このとき、熱媒体が冷やされる。蒸発した低温且つ低圧のガス状態の冷媒は、第２の流路切替装置２１Ｂを通過して、第２の圧縮機２０Ｂに吸入される。
【００４１】
第３の冷媒回路１９Ｃにおける冷媒の流れについて説明する。冷却運転において、第３の圧縮機２０Ｃに吸入された冷媒は、第３の圧縮機２０Ｃによって圧縮されて高温且つ高圧のガス状態で吐出する。第３の圧縮機２０Ｃから吐出された高温且つ高圧のガス状態の冷媒は、第３の流路切替装置２１Ｃを通過して、凝縮器として作用する第３の熱源熱交換器１Ｃに流入する。そして冷媒は、第３の熱源熱交換器１Ｃにおいて、第３の送風機５Ｃによって送られる室外空気と熱交換されて凝縮して液化する。凝縮された液状態の冷媒は、第３の膨張部２２Ｃに流入し、第３の膨張部２２Ｃにおいて膨張及び減圧されて低温且つ低圧の気液二相状態の冷媒となる。そして、気液二相状態の冷媒は、蒸発器として作用する第３の冷媒熱媒体間熱交換器３Ｃに流入し、第３の冷媒熱媒体間熱交換器３Ｃにおいて、第１の枝回路１５Ａに流れる熱媒体と熱交換されて蒸発してガス化する。このとき、熱媒体が冷やされる。蒸発した低温且つ低圧のガス状態の冷媒は、第３の流路切替装置２１Ｃを通過して、第３の圧縮機２０Ｃに吸入される。
【００４２】
第４の冷媒回路１９Ｄにおける冷媒の流れについて説明する。冷却運転において、第４の圧縮機２０Ｄに吸入された冷媒は、第４の圧縮機２０Ｄによって圧縮されて高温且つ高圧のガス状態で吐出する。第４の圧縮機２０Ｄから吐出された高温且つ高圧のガス状態の冷媒は、第４の流路切替装置２１Ｄを通過して、凝縮器として作用する第４の熱源熱交換器１Ｄに流入する。そして冷媒は、第４の熱源熱交換器１Ｄにおいて、第４の送風機５Ｄによって送られる室外空気と熱交換されて凝縮して液化する。凝縮された液状態の冷媒は、第４の膨張部２２Ｄに流入し、第４の膨張部２２Ｄにおいて膨張及び減圧されて低温且つ低圧の気液二相状態の冷媒となる。そして、気液二相状態の冷媒は、蒸発器として作用する第４の冷媒熱媒体間熱交換器３Ｄに流入し、第４の冷媒熱媒体間熱交換器３Ｄにおいて、第２の枝回路１５Ｂに流れる熱媒体と熱交換されて蒸発してガス化する。このとき、熱媒体が冷やされる。蒸発した低温且つ低圧のガス状態の冷媒は、第４の流路切替装置２１Ｄを通過して、第４の圧縮機２０Ｄに吸入される。
【００４３】
次に、熱媒体回路１５における熱媒体の流れについて説明する。流入回路１６Ａに流れる熱媒体は、分岐してそれぞれ第１の枝回路１５Ａ及び第２の枝回路１５Ｂに流れる。第１の枝回路１５Ａに流入した熱媒体は、第１の冷媒熱媒体間熱交換器３Ａにおいて、第１の冷媒回路１９Ａに流れる冷媒と熱交換されて冷やされる。冷やされた熱媒体は、更に、第３の冷媒熱媒体間熱交換器３Ｃにおいて、第３の冷媒回路１９Ｃに流れる冷媒と熱交換されて冷やされる。その後、冷やされた熱媒体は、流出回路１６Ｂに流出する。一方、第２の枝回路１５Ｂに流入した熱媒体は、第２の冷媒熱媒体間熱交換器３Ｂにおいて、第２の冷媒回路１９Ｂに流れる冷媒と熱交換されて冷やされる。冷やされた熱媒体は、更に、第４の冷媒熱媒体間熱交換器３Ｄにおいて、第４の冷媒回路１９Ｄに流れる冷媒と熱交換されて冷やされる。その後、冷やされた熱媒体は、流出回路１６Ｂに流出する。第１の枝回路１５Ａから流出した熱媒体と第２の枝回路１５Ｂから流出した熱媒体は、流出回路１６Ｂにおいて合流する。流出回路１６Ｂに流れる低温の熱媒体は、利用側ユニットに送給される。これにより、空調対象空間の冷却が実施される。
【００４４】
（運転モード、加熱運転）
次に、加熱運転について説明する。加熱運転では、第１の冷媒回路１９Ａ、第２の冷媒回路１９Ｂ、第３の冷媒回路１９Ｃ及び第４の冷媒回路１９Ｄのいずれにおいても、冷媒の流れが同じである。第１の冷媒回路１９Ａにおける冷媒の流れについて説明する。加熱運転において、第１の圧縮機２０Ａに吸入された冷媒は、第１の圧縮機２０Ａによって圧縮されて高温且つ高圧のガス状態で吐出する。第１の圧縮機２０Ａから吐出された高温且つ高圧のガス状態の冷媒は、第１の流路切替装置２１Ａを通過して、凝縮器として作用する第１の冷媒熱媒体間熱交換器３Ａに流入する。そして冷媒は、第１の冷媒熱媒体間熱交換器３Ａにおいて、第１の枝回路１５Ａに流れる熱媒体と熱交換されて凝縮して液化する。このとき、熱媒体が暖められる。凝縮された液状態の冷媒は、第１の膨張部２２Ａに流入し、第１の膨張部２２Ａにおいて膨張及び減圧されて低温且つ低圧の気液二相状態の冷媒となる。そして、気液二相状態の冷媒は、蒸発器として作用する第１の熱源熱交換器１Ａに流入し、第１の熱源熱交換器１Ａにおいて、第１の送風機５Ａによって送られる室外空気と熱交換されて蒸発してガス化する。蒸発した低温且つ低圧のガス状態の冷媒は、第１の流路切替装置２１Ａを通過して、第１の圧縮機２０Ａに吸入される。
【００４５】
第２の冷媒回路１９Ｂにおける冷媒の流れについて説明する。加熱運転において、第２の圧縮機２０Ｂに吸入された冷媒は、第２の圧縮機２０Ｂによって圧縮されて高温且つ高圧のガス状態で吐出する。第２の圧縮機２０Ｂから吐出された高温且つ高圧のガス状態の冷媒は、第２の流路切替装置２１Ｂを通過して、凝縮器として作用する第２の冷媒熱媒体間熱交換器３Ｂに流入する。そして冷媒は、第２の冷媒熱媒体間熱交換器３Ｂにおいて、第２の枝回路１５Ｂに流れる熱媒体と熱交換されて凝縮して液化する。このとき、熱媒体が暖められる。凝縮された液状態の冷媒は、第２の膨張部２２Ｂに流入し、第２の膨張部２２Ｂにおいて膨張及び減圧されて低温且つ低圧の気液二相状態の冷媒となる。そして、気液二相状態の冷媒は、蒸発器として作用する第２の熱源熱交換器１Ｂに流入し、第２の熱源熱交換器１Ｂにおいて、第２の送風機５Ｂによって送られる室外空気と熱交換されて蒸発してガス化する。蒸発した低温且つ低圧のガス状態の冷媒は、第２の流路切替装置２１Ｂを通過して、第２の圧縮機２０Ｂに吸入される。
【００４６】
第３の冷媒回路１９Ｃにおける冷媒の流れについて説明する。加熱運転において、第３の圧縮機２０Ｃに吸入された冷媒は、第３の圧縮機２０Ｃによって圧縮されて高温且つ高圧のガス状態で吐出する。第３の圧縮機２０Ｃから吐出された高温且つ高圧のガス状態の冷媒は、第３の流路切替装置２１Ｃを通過して、凝縮器として作用する第３の冷媒熱媒体間熱交換器３Ｃに流入する。そして冷媒は、第３の冷媒熱媒体間熱交換器３Ｃにおいて、第１の枝回路１５Ａに流れる熱媒体と熱交換されて凝縮して液化する。このとき、熱媒体が暖められる。凝縮された液状態の冷媒は、第３の膨張部２２Ｃに流入し、第３の膨張部２２Ｃにおいて膨張及び減圧されて低温且つ低圧の気液二相状態の冷媒となる。そして、気液二相状態の冷媒は、蒸発器として作用する第３の熱源熱交換器１Ｃに流入し、第３の熱源熱交換器１Ｃにおいて、第３の送風機５Ｃによって送られる室外空気と熱交換されて蒸発してガス化する。蒸発した低温且つ低圧のガス状態の冷媒は、第３の流路切替装置２１Ｃを通過して、第３の圧縮機２０Ｃに吸入される。
【００４７】
第４の冷媒回路１９Ｄにおける冷媒の流れについて説明する。加熱運転において、第４の圧縮機２０Ｄに吸入された冷媒は、第４の圧縮機２０Ｄによって圧縮されて高温且つ高圧のガス状態で吐出する。第４の圧縮機２０Ｄから吐出された高温且つ高圧のガス状態の冷媒は、第４の流路切替装置２１Ｄを通過して、凝縮器として作用する第４の冷媒熱媒体間熱交換器３Ｄに流入する。そして冷媒は、第４の冷媒熱媒体間熱交換器３Ｄにおいて、第２の枝回路１５Ｂに流れる熱媒体と熱交換されて凝縮して液化する。このとき、熱媒体が暖められる。凝縮された液状態の冷媒は、第４の膨張部２２Ｄに流入し、第４の膨張部２２Ｄにおいて膨張及び減圧されて低温且つ低圧の気液二相状態の冷媒となる。そして、気液二相状態の冷媒は、蒸発器として作用する第４の熱源熱交換器１Ｄに流入し、第４の熱源熱交換器１Ｄにおいて、第４の送風機５Ｄによって送られる室外空気と熱交換されて蒸発してガス化する。蒸発した低温且つ低圧のガス状態の冷媒は、第４の流路切替装置２１Ｄを通過して、第４の圧縮機２０Ｄに吸入される。
【００４８】
次に、熱媒体回路１５における熱媒体の流れについて説明する。流入回路１６Ａに流れる熱媒体は、分岐してそれぞれ第１の枝回路１５Ａ及び第２の枝回路１５Ｂに流れる。第１の枝回路１５Ａに流入した熱媒体は、第１の冷媒熱媒体間熱交換器３Ａにおいて、第１の冷媒回路１９Ａに流れる冷媒と熱交換されて暖められる。暖められた熱媒体は、更に、第３の冷媒熱媒体間熱交換器３Ｃにおいて、第３の冷媒回路１９Ｃに流れる冷媒と熱交換されて暖められる。その後、暖められた熱媒体は、流出回路１６Ｂに流出する。一方、第２の枝回路１５Ｂに流入した熱媒体は、第２の冷媒熱媒体間熱交換器３Ｂにおいて、第２の冷媒回路１９Ｂに流れる冷媒と熱交換されて暖められる。暖められた熱媒体は、更に、第４の冷媒熱媒体間熱交換器３Ｄにおいて、第４の冷媒回路１９Ｄに流れる冷媒と熱交換されて暖められる。その後、暖められた熱媒体は、流出回路１６Ｂに流出する。第１の枝回路１５Ａから流出した熱媒体と第２の枝回路１５Ｂから流出した熱媒体は、流出回路１６Ｂにおいて合流する。流出回路１６Ｂに流れる高温の熱媒体は、利用側ユニットに送給される。これにより、空調対象空間の加熱が実施される。
【００４９】
（運転モード、上流除霜加熱混在運転モード）
次に、上流除霜加熱混在運転について説明する。上流除霜加熱混在運転では、第１の冷媒回路１９Ａ及び第２の冷媒回路１９Ｂの冷媒の流れが冷却運転と同様であり、第３の冷媒回路１９Ｃ及び第４の冷媒回路１９Ｄの冷媒の流れが加熱運転と同様である。なお、本実施の形態１では、流路を切り替えることによって除霜運転を実施している場合について例示しているが、ホットガスをバイパスすることによって除霜運転を実施してもよい。
【００５０】
第１の冷媒回路１９Ａにおける冷媒の流れについて説明する。上流除霜加熱混在運転において、第１の圧縮機２０Ａに吸入された冷媒は、第１の圧縮機２０Ａによって圧縮されて高温且つ高圧のガス状態で吐出する。第１の圧縮機２０Ａから吐出された高温且つ高圧のガス状態の冷媒は、第１の流路切替装置２１Ａを通過して、凝縮器として作用する第１の熱源熱交換器１Ａに流入し、第１の熱源熱交換器１Ａを除霜する。第１の熱源熱交換器１Ａから流出した冷媒は、第１の膨張部２２Ａに流入し、第１の膨張部２２Ａにおいて膨張及び減圧されて低温且つ低圧の気液二相状態の冷媒となる。そして、気液二相状態の冷媒は、第１の冷媒熱媒体間熱交換器３Ａに流入し、第１の冷媒熱媒体間熱交換器３Ａにおいて、第１の枝回路１５Ａに流れる熱媒体と熱交換されて蒸発してガス化する。蒸発した低温且つ低圧のガス状態の冷媒は、第１の流路切替装置２１Ａを通過して、第１の圧縮機２０Ａに吸入される。
【００５１】
第２の冷媒回路１９Ｂにおける冷媒の流れについて説明する。上流除霜加熱混在運転において、第２の圧縮機２０Ｂに吸入された冷媒は、第２の圧縮機２０Ｂによって圧縮されて高温且つ高圧のガス状態で吐出する。第２の圧縮機２０Ｂから吐出された高温且つ高圧のガス状態の冷媒は、第２の流路切替装置２１Ｂを通過して、凝縮器として作用する第２の熱源熱交換器１Ｂに流入し、第２の熱源熱交換器１Ｂを除霜する。第２の熱源熱交換器１Ｂから流出した冷媒は、第２の膨張部２２Ｂに流入し、第２の膨張部２２Ｂにおいて膨張及び減圧されて低温且つ低圧の気液二相状態の冷媒となる。そして、気液二相状態の冷媒は、第２の冷媒熱媒体間熱交換器３Ｂに流入し、第２の冷媒熱媒体間熱交換器３Ｂにおいて、第２の枝回路１５Ｂに流れる熱媒体と熱交換されて蒸発してガス化する。蒸発した低温且つ低圧のガス状態の冷媒は、第２の流路切替装置２１Ｂを通過して、第２の圧縮機２０Ｂに吸入される。
【００５２】
第３の冷媒回路１９Ｃにおける冷媒の流れについて説明する。上流除霜加熱混在運転において、第３の圧縮機２０Ｃに吸入された冷媒は、第３の圧縮機２０Ｃによって圧縮されて高温且つ高圧のガス状態で吐出する。第３の圧縮機２０Ｃから吐出された高温且つ高圧のガス状態の冷媒は、第３の流路切替装置２１Ｃを通過して、凝縮器として作用する第３の冷媒熱媒体間熱交換器３Ｃに流入する。そして冷媒は、第３の冷媒熱媒体間熱交換器３Ｃにおいて、第１の枝回路１５Ａに流れる熱媒体と熱交換されて凝縮して液化する。このとき、熱媒体が暖められる。凝縮された液状態の冷媒は、第３の膨張部２２Ｃに流入し、第３の膨張部２２Ｃにおいて膨張及び減圧されて低温且つ低圧の気液二相状態の冷媒となる。そして、気液二相状態の冷媒は、蒸発器として作用する第３の熱源熱交換器１Ｃに流入し、第３の熱源熱交換器１Ｃにおいて、第３の送風機５Ｃによって送られる室外空気と熱交換されて蒸発してガス化する。蒸発した低温且つ低圧のガス状態の冷媒は、第３の流路切替装置２１Ｃを通過して、第３の圧縮機２０Ｃに吸入される。
【００５３】
第４の冷媒回路１９Ｄにおける冷媒の流れについて説明する。上流除霜加熱混在運転、第４の圧縮機２０Ｄに吸入された冷媒は、第４の圧縮機２０Ｄによって圧縮されて高温且つ高圧のガス状態で吐出する。第４の圧縮機２０Ｄから吐出された高温且つ高圧のガス状態の冷媒は、第４の流路切替装置２１Ｄを通過して、凝縮器として作用する第４の冷媒熱媒体間熱交換器３Ｄに流入する。そして冷媒は、第４の冷媒熱媒体間熱交換器３Ｄにおいて、第２の枝回路１５Ｂに流れる熱媒体と熱交換されて凝縮して液化する。このとき、熱媒体が暖められる。凝縮された液状態の冷媒は、第４の膨張部２２Ｄに流入し、第４の膨張部２２Ｄにおいて膨張及び減圧されて低温且つ低圧の気液二相状態の冷媒となる。そして、気液二相状態の冷媒は、蒸発器として作用する第４の熱源熱交換器１Ｄに流入し、第４の熱源熱交換器１Ｄにおいて、第４の送風機５Ｄによって送られる室外空気と熱交換されて蒸発してガス化する。蒸発した低温且つ低圧のガス状態の冷媒は、第４の流路切替装置２１Ｄを通過して、第４の圧縮機２０Ｄに吸入される。
【００５４】
次に、熱媒体回路１５における熱媒体の流れについて説明する。流入回路１６Ａに流れる熱媒体は、分岐してそれぞれ第１の枝回路１５Ａ及び第２の枝回路１５Ｂに流れる。第１の枝回路１５Ａに流入した熱媒体は、第１の冷媒熱媒体間熱交換器３Ａにおいて、第１の冷媒回路１９Ａに流れる冷媒と熱交換されて若干冷やされる。冷やされた熱媒体は、更に、第３の冷媒熱媒体間熱交換器３Ｃにおいて、第３の冷媒回路１９Ｃに流れる冷媒と熱交換されて暖められる。その後、暖められた熱媒体は、流出回路１６Ｂに流出する。一方、第２の枝回路１５Ｂに流入した熱媒体は、第２の冷媒熱媒体間熱交換器３Ｂにおいて、第２の冷媒回路１９Ｂに流れる冷媒と熱交換されて若干冷やされる。冷やされた熱媒体は、更に、第４の冷媒熱媒体間熱交換器３Ｄにおいて、第４の冷媒回路１９Ｄに流れる冷媒と熱交換されて暖められる。その後、暖められた熱媒体は、流出回路１６Ｂに流出する。第１の枝回路１５Ａから流出した熱媒体と第２の枝回路１５Ｂから流出した熱媒体は、流出回路１６Ｂにおいて合流する。流出回路１６Ｂに流れる高温の熱媒体は、利用側ユニットに送給される。これにより、加熱が実施される。このように、上流除霜加熱混在運転モードでは、上流系統回路１８Ａにおいて除霜運転を実施し、下流系統回路１８Ｂにおいて加熱運転を実施することによって、除霜しつつ加熱を継続している。
【００５５】
（運転モード、下流除霜加熱混在運転モード）
次に、下流除霜加熱混在運転について説明する。下流除霜加熱混在運転では、第１の冷媒回路１９Ａ及び第２の冷媒回路１９Ｂの冷媒の流れが加熱運転と同様であり、第３の冷媒回路１９Ｃ及び第４の冷媒回路１９Ｄの冷媒の流れが冷却運転と同様である。
【００５６】
第１の冷媒回路１９Ａにおける冷媒の流れについて説明する。下流除霜加熱混在運転において、第１の圧縮機２０Ａに吸入された冷媒は、第１の圧縮機２０Ａによって圧縮されて高温且つ高圧のガス状態で吐出する。第１の圧縮機２０Ａから吐出された高温且つ高圧のガス状態の冷媒は、第１の流路切替装置２１Ａを通過して、凝縮器として作用する第１の冷媒熱媒体間熱交換器３Ａに流入する。そして冷媒は、第１の冷媒熱媒体間熱交換器３Ａにおいて、第１の枝回路１５Ａに流れる熱媒体と熱交換されて凝縮して液化する。このとき、熱媒体が暖められる。凝縮された液状態の冷媒は、第１の膨張部２２Ａに流入し、第１の膨張部２２Ａにおいて膨張及び減圧されて低温且つ低圧の気液二相状態の冷媒となる。そして、気液二相状態の冷媒は、蒸発器として作用する第１の熱源熱交換器１Ａに流入し、第１の熱源熱交換器１Ａにおいて、第１の送風機５Ａによって送られる室外空気と熱交換されて蒸発してガス化する。蒸発した低温且つ低圧のガス状態の冷媒は、第１の流路切替装置２１Ａを通過して、第１の圧縮機２０Ａに吸入される。
【００５７】
第２の冷媒回路１９Ｂにおける冷媒の流れについて説明する。下流除霜加熱混在運転において、第２の圧縮機２０Ｂに吸入された冷媒は、第２の圧縮機２０Ｂによって圧縮されて高温且つ高圧のガス状態で吐出する。第２の圧縮機２０Ｂから吐出された高温且つ高圧のガス状態の冷媒は、第２の流路切替装置２１Ｂを通過して、凝縮器として作用する第２の冷媒熱媒体間熱交換器３Ｂに流入する。そして冷媒は、第２の冷媒熱媒体間熱交換器３Ｂにおいて、第２の枝回路１５Ｂに流れる熱媒体と熱交換されて凝縮して液化する。このとき、熱媒体が暖められる。凝縮された液状態の冷媒は、第２の膨張部２２Ｂに流入し、第２の膨張部２２Ｂにおいて膨張及び減圧されて低温且つ低圧の気液二相状態の冷媒となる。そして、気液二相状態の冷媒は、蒸発器として作用する第２の熱源熱交換器１Ｂに流入し、第２の熱源熱交換器１Ｂにおいて、第２の送風機５Ｂによって送られる室外空気と熱交換されて蒸発してガス化する。蒸発した低温且つ低圧のガス状態の冷媒は、第２の流路切替装置２１Ｂを通過して、第２の圧縮機２０Ｂに吸入される。
【００５８】
第３の冷媒回路１９Ｃにおける冷媒の流れについて説明する。上流除霜加熱混在運転において、第３の圧縮機２０Ｃに吸入された冷媒は、第３の圧縮機２０Ｃによって圧縮されて高温且つ高圧のガス状態で吐出する。第３の圧縮機２０Ｃから吐出された高温且つ高圧のガス状態の冷媒は、第３の流路切替装置２１Ｃを通過して、凝縮器として作用する第３の熱源熱交換器１Ｃに流入し、第３の熱源熱交換器１Ｃを除霜する。第３の熱源熱交換器１Ｃから流出した冷媒は、第３の膨張部２２Ｃに流入し、第３の膨張部２２Ｃにおいて膨張及び減圧されて低温且つ低圧の気液二相状態の冷媒となる。そして、気液二相状態の冷媒は、第３の冷媒熱媒体間熱交換器３Ｃに流入し、第３の冷媒熱媒体間熱交換器３Ｃにおいて、第１の枝回路１５Ａに流れる熱媒体と熱交換されて蒸発してガス化する。蒸発した低温且つ低圧のガス状態の冷媒は、第３の流路切替装置２１Ｃを通過して、第３の圧縮機２０Ｃに吸入される。
【００５９】
第４の冷媒回路１９Ｄにおける冷媒の流れについて説明する。上流除霜加熱混在運転において、第４の圧縮機２０Ｄに吸入された冷媒は、第４の圧縮機２０Ｄによって圧縮されて高温且つ高圧のガス状態で吐出する。第４の圧縮機２０Ｄから吐出された高温且つ高圧のガス状態の冷媒は、第４の流路切替装置２１Ｄを通過して、凝縮器として作用する第４の熱源熱交換器１Ｄに流入し、第４の熱源熱交換器１Ｄを除霜する。第４の熱源熱交換器１Ｄから流出した冷媒は、第４の膨張部２２Ｄに流入し、第４の膨張部２２Ｄにおいて膨張及び減圧されて低温且つ低圧の気液二相状態の冷媒となる。そして、気液二相状態の冷媒は、第４の冷媒熱媒体間熱交換器３Ｄに流入し、第４の冷媒熱媒体間熱交換器３Ｄにおいて、第２の枝回路１５Ｂに流れる熱媒体と熱交換されて蒸発してガス化する。蒸発した低温且つ低圧のガス状態の冷媒は、第４の流路切替装置２１Ｄを通過して、第４の圧縮機２０Ｄに吸入される。
【００６０】
次に、熱媒体回路１５における熱媒体の流れについて説明する。流入回路１６Ａに流れる熱媒体は、分岐してそれぞれ第１の枝回路１５Ａ及び第２の枝回路１５Ｂに流れる。第１の枝回路１５Ａに流入した熱媒体は、第１の冷媒熱媒体間熱交換器３Ａにおいて、第１の冷媒回路１９Ａに流れる冷媒と熱交換されて暖められる。暖められた熱媒体は、更に、第３の冷媒熱媒体間熱交換器３Ｃにおいて、第３の冷媒回路１９Ｃに流れる冷媒と熱交換されて若干冷やされる。その後、冷やされた熱媒体は、流出回路１６Ｂに流出する。一方、第２の枝回路１５Ｂに流入した熱媒体は、第２の冷媒熱媒体間熱交換器３Ｂにおいて、第２の冷媒回路１９Ｂに流れる冷媒と熱交換されて暖められる。暖められた熱媒体は、更に、第４の冷媒熱媒体間熱交換器３Ｄにおいて、第４の冷媒回路１９Ｄに流れる冷媒と熱交換されて若干冷やされる。その後、冷やされた熱媒体は、流出回路１６Ｂに流出する。第１の枝回路１５Ａから流出した熱媒体と第２の枝回路１５Ｂから流出した熱媒体は、流出回路１６Ｂにおいて合流する。流出回路１６Ｂに流れる高温の熱媒体は、利用側ユニットに送給される。これにより、加熱が実施される。このように、下流除霜加熱混在運転モードでは、下流系統回路１８Ｂにおいて除霜運転を実施し、上流系統回路１８Ａにおいて加熱運転を実施することによって、除霜しつつ加熱を継続している。
【００６１】
（制御部３０）
制御部３０は、専用のハードウェア又は記憶装置に格納されるプログラムを実行するＣＰＵ（Ｃｅｎｔｒａｌ  Ｐｒｏｃｅｓｓｉｎｇ  Ｕｎｉｔ、中央処理装置、処理装置、演算装置、マイクロプロセッサ、マイクロコンピュータ又はプロセッサともいう）で構成される。制御部３０が専用のハードウェアである場合、制御部３０は、例えば、単一回路、複合回路、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）、又は、これらを組み合わせたものが該当する。制御部３０が実現する各機能部のそれぞれを、個別のハードウェアで実現してもよいし、各機能部を一つのハードウェアで実現してもよい。
【００６２】
制御部３０がＣＰＵの場合、制御部３０が実行する各機能は、ソフトウェア、ファームウェア、又はソフトウェアとファームウェアとの組み合わせにより実現される。ソフトウェア及びファームウェアはプログラムとして記述され、記憶装置に格納される。ＣＰＵは、記憶装置に格納されたプログラムを読み出して実行することにより、各機能を実現する。なお、制御部３０の機能の一部を専用のハードウェアで実現し、一部をソフトウェア又はファームウェアで実現するようにしてもよい。記憶装置は、ハードディスクとして構成されてもよいし、データを一時的に記憶することができるランダムアクセスメモリ（ＲＡＭ）等の揮発性記憶装置として構成されてもよい。また、記憶装置は、データを長期的に記憶することができるフラッシュメモリ等の不揮発性記憶装置として構成されてもよい。
【００６３】
図９は、実施の形態１に係る制御部３０の機能ブロック図である。図９に示すように、制御部３０は、判定手段３１及び増加手段３２を有している。判定手段３１及び増加手段３２は、いずれもアルゴリズムからなる。
【００６４】
（判定手段３１）
判定手段３１は、出口温度検出部３６によって検出された熱媒体の温度が温度閾値以下であるかを判定する。ここで、温度閾値は、上流除霜加熱混在運転又は下流除霜加熱混在運転が実施されている際に、利用側ユニットが要求する加熱能力に達しないと予測される温度として設定される。判定手段３１は、また、第１の中間温度検出部３５Ａ及び第２の中間温度検出部３５Ｂによって検出された熱媒体の温度が中間温度閾値以下であるかを判定する。ここで、中間温度閾値は、上流除霜加熱混在運転又は下流除霜加熱混在運転が実施されている際に、利用側ユニットが要求する加熱能力に達しないと予測される温度として設定される。
【００６５】
（増加手段３２）
増加手段３２は、判定手段３１によって熱媒体の温度が温度閾値以下と判定された場合、第１の圧縮機２０Ａ、第２の圧縮機２０Ｂ、第３の圧縮機２０Ｃ又は第４の圧縮機２０Ｄの運転周波数を増加させる。また、増加手段３２は、判定手段３１によって熱媒体の温度が中間温度閾値以下と判定された場合、第１の圧縮機２０Ａ、第２の圧縮機２０Ｂ、第３の圧縮機２０Ｃ又は第４の圧縮機２０Ｄの運転周波数を増加させる。
【００６６】
増加手段３２は、上流除霜加熱混在運転モードにおいて、第３の圧縮機２０Ｃ及び第４の圧縮機２０Ｄの運転周波数を増加させる。上流除霜加熱混在運転では、上流系統回路１８Ａである第１の冷媒回路１９Ａ及び第２の冷媒回路１９Ｂにおいて除霜運転が実施され、下流系統回路１８Ｂである第３の冷媒回路１９Ｃ及び第４の冷媒回路１９Ｄにおいて加熱運転が実施されている。増加手段３２は、加熱運転が行われている下流系統回路１８Ｂの第３の圧縮機２０Ｃ及び第４の圧縮機２０Ｄの運転周波数を増加させることによって、加熱能力を高め、熱媒体の温度を高める。このように、上流除霜加熱混在運転モードにおいて、増加手段３２は、上流系統回路１８Ａが有する第１の圧縮機２０Ａ及び第２の圧縮機２０Ｂの運転周波数を増加させなくてもよい。
【００６７】
増加手段３２は、下流除霜加熱混在運転モードにおいて、第１の圧縮機２０Ａ及び第２の圧縮機２０Ｂの運転周波数を増加させる。下流除霜加熱混在運転では、上流系統回路１８Ａである第１の冷媒回路１９Ａ及び第２の冷媒回路１９Ｂにおいて加熱運転が実施され、下流系統回路１８Ｂである第３の冷媒回路１９Ｃ及び第４の冷媒回路１９Ｄにおいて除霜運転が実施されている。増加手段３２は、加熱運転が行われている上流系統回路１８Ａの第１の圧縮機２０Ａ及び第２の圧縮機２０Ｂの運転周波数を増加させることによって、加熱能力を高め、熱媒体の温度を高める。このように、下流除霜加熱混在運転モードにおいて、増加手段３２は、下流系統回路１８Ｂが有する第３の圧縮機２０Ｃ及び第４の圧縮機２０Ｄの運転周波数を増加させなくてもよい。
【００６８】
（制御部３０の動作）
図１０は、実施の形態１に係る制御部３０の動作を示すタイミングチャートである。次に、制御部３０の動作をタイミングチャートを用いて説明する。図１０において、横軸は時間を示し、縦軸は圧縮機の運転周波数又は熱媒体の供給温度を示す。図１０に示すように、上流系統回路１８Ａ及び下流系統回路１８Ｂのいずれも加熱運転を実施している場合、第１の圧縮機２０Ａ、第２の圧縮機２０Ｂ、第３の圧縮機２０Ｃ及び第４の圧縮機２０Ｄの運転周波数を中とする。このとき、熱媒体の供給温度は高となる。その後、上流系統回路１８Ａが除霜運転を実施し、下流系統回路１８Ｂが加熱運転を実施する。この場合、上流系統回路１８Ａの第１の圧縮機２０Ａ及び第２の圧縮機２０Ｂの運転周波数は低となり、下流系統回路１８Ｂの第３の圧縮機２０Ｃ及び第４の圧縮機２０Ｄの運転周波数は中のままである。
【００６９】
判定手段３１によって熱媒体の温度が温度閾値以下と判定された場合、増加手段３２は、第１の圧縮機２０Ａ、第２の圧縮機２０Ｂ、第３の圧縮機２０Ｃ及び第４の圧縮機２０Ｄの運転周波数を増加させる。これにより、上流系統回路１８Ａの第１の圧縮機２０Ａ及び第２の圧縮機２０Ｂの運転周波数は中まで上昇し、下流系統回路１８Ｂの第３の圧縮機２０Ｃ及び第４の圧縮機２０Ｄの運転周波数は高まで上昇する。その際、熱媒体の供給温度は、図１０の実線で示すように、高から中に緩やかに下降する。なお、増加手段３２が第１の圧縮機２０Ａ、第２の圧縮機２０Ｂ、第３の圧縮機２０Ｃ及び第４の圧縮機２０Ｄの運転周波数を増加させない場合、熱媒体の供給温度は、図１０の破線で示すように、高から低に急峻に下降する。その後、上流系統回路１８Ａが除霜運転を終了し、上流系統回路１８Ａが加熱運転を再開すると、第１の圧縮機２０Ａ、第２の圧縮機２０Ｂ、第３の圧縮機２０Ｃ及び第４の圧縮機２０Ｄの運転周波数は高となる。これにより、熱媒体の供給温度は、高に上昇する。
【００７０】
図１１は、実施の形態１に係る制御部３０の動作を示すフローチャートである。次に、制御部３０の動作についてフローチャートを用いて説明する。図１１に示すように、空気調和システム２００が暖房運転を実施しているとき（ステップＳＴ１）、第１の熱源熱交換器１Ａ、第２の熱源熱交換器１Ｂ、第３の熱源熱交換器１Ｃ又は第４の熱源熱交換器１Ｄに霜が付着する場合がある。このとき、空気調和システム２００は、いずれかの系統回路で除霜運転を実施する（ステップＳＴ２）。そして、判定手段３１は、出口温度検出部３６によって検出された熱媒体の温度が温度閾値以下であるかを判定する（ステップＳＴ３）。熱媒体の温度が温度閾値より大きい場合（ステップＳＴ３のＮＯ）、ステップＳＴ３に戻る。一方、熱媒体の温度が温度閾値以下の場合（ステップＳＴ３のＹＥＳ）、増加手段３２は、第１の圧縮機２０Ａ、第２の圧縮機２０Ｂ、第３の圧縮機２０Ｃ及び第４の圧縮機２０Ｄの運転周波数を増加させる（ステップＳＴ４）。その後、ステップＳＴ３に戻る。なお、判定手段３１は、第１の中間温度検出部３５Ａ及び第２の中間温度検出部３５Ｂによって検出された温度が中間温度閾値以下であるかを判定してもよい。
【００７１】
本実施の形態１によれば、増加手段３２は、熱媒体の温度が温度閾値以下の場合、第１の圧縮機２０Ａ、第２の圧縮機２０Ｂ、第３の圧縮機２０Ｃ又は第４の圧縮機２０Ｄの運転周波数を増加させる。このため、除霜運転と加熱運転とが混在する運転が行われても、加熱能力を高め、熱媒体の温度を高めることができる。従って、冷却運転又は除霜運転と加熱運転とが混在して実行されても、加熱運転が要求されている空調対象空間が冷えることを抑制することができる。
【００７２】
実施の形態２．
図１２は、実施の形態２に係る複数のチリングユニット１００を示す斜視図である。本実施の形態２は、空気調和システム２００が複数のチリングユニット１００を備えている点で、実施の形態１と相違する。本実施の形態２では、実施の形態１と共通する部分は同一の符号を付して説明を省略し、実施の形態１との相違点を中心に説明する。
【００７３】
図１２に示すように、チリングユニット１００は、短手方向に複数並べられている。このように、チリングユニット１００は、複数台を連結して使用することができる。
【００７４】
図１３は、実施の形態２に係る複数のチリングユニット１００を示す模式図である。図１３に示すように、例えば３台のチリングユニット１００のうち、２台のチリングユニット１００が加熱運転を行い、１台のチリングユニット１００が除霜運転を行っている場合について説明する。制御部３０は、３台のチリングユニット１００から流出する熱媒体の温度の平均値を算出する。増加手段３２は、複数のチリングユニット１００が有する各出口温度検出部３６によって検出された出口温度に基づいて、各第１の圧縮機２０Ａ、各第２の圧縮機２０Ｂ、各第３の圧縮機２０Ｃ又は各第４の圧縮機２０Ｄの運転周波数を増加させる。これにより、各チリングユニット１００から流出して合流する熱媒体の温度を上昇させることができる。
【符号の説明】
【００７５】
１Ａ  第１の熱源熱交換器、１ＡＥ  角部、１ＡＬ  長辺部、１ＡＳ  短辺部、１Ｂ  第２の熱源熱交換器、１ＢＥ  角部、１ＢＬ  長辺部、１ＢＳ  短辺部、１Ｃ  第３の熱源熱交換器、１ＣＥ  角部、１ＣＬ  長辺部、１ＣＳ  短辺部、１Ｄ  第４の熱源熱交換器、１ＤＥ  角部、１ＤＬ  長辺部、１ＤＳ  短辺部、３Ａ  第１の冷媒熱媒間熱交換器、３Ｂ  第２の冷媒熱媒間熱交換器、３Ｃ  第３の冷媒熱媒間熱交換器、３Ｄ  第４の冷媒熱媒間熱交換器、４  機械室、５Ａ  第１の送風機、５Ｂ  第２の送風機、５Ｃ  第３の送風機、５Ｄ  第４の送風機、６  仕切部、６Ａ  第１の室、６Ｂ  第２の室、１０  ベース、１５  熱媒体回路、１５Ａ  第１の枝回路、１５Ｂ  第２の枝回路、１６Ａ  流入回路、１６Ｂ  流出回路、１８Ａ  上流系統回路、１８Ｂ  下流系統回路、１９Ａ  第１の冷媒回路、１９Ｂ  第２の冷媒回路、１９Ｃ  第３の冷媒回路、１９Ｄ  第４の冷媒回路、２０Ａ  第１の圧縮機、２０Ｂ  第２の圧縮機、２０Ｃ  第３の圧縮機、２０Ｄ  第４の圧縮機、２１Ａ  第１の流路切替装置、２１Ｂ  第２の流路切替装置、２１Ｃ  第３の流路切替装置、２１Ｄ  第４の流路切替装置、２２Ａ  第１の膨張部、２２Ｂ  第２の膨張部、２２Ｃ  第３の膨張部、２２Ｄ  第４の膨張部、３０  制御部、３１  判定手段、３２  増加手段、３５Ａ  第１の中間温度検出部、３５Ｂ  第２の中間温度検出部、３６  出口温度検出部、４１  台枠、４２  門柱、４２Ａ  門柱、４２Ｂ  門柱、４２Ｃ  門柱、４２Ｄ  門柱、４３  中間柱、４３Ａ  中間柱、４３Ｂ  中間柱、４３Ｃ  中間柱、４３Ｄ  中間柱、４４  上部梁、５０  側面パネル、５１  側面パネル、６０  天枠、７０Ａ  第１の冷媒配管、７０Ｂ  第１の冷媒配管、７０Ｃ  第１の冷媒配管、７０Ｄ  第１の冷媒配管、７１Ａ  第１の枝配管、７１Ｂ  第２の枝配管、１００  チリングユニット、２００  空気調和システム。
【図１】
2021024404.tif 000003
【図２】
2021024404.tif 000004
【図３】
2021024404.tif 000005
【図４】
2021024404.tif 000006
【図５】
2021024404.tif 000007
【図６】
2021024404.tif 000008
【図７】
2021024404.tif 000009
【図８】
2021024404.tif 000010
【図９】
2021024404.tif 000011
【図１０】
2021024404.tif 000012
【図１１】
2021024404.tif 000013
【図１２】
2021024404.tif 000014
【図１３】
2021024404.tif 000015
【手続補正書】
【提出日】令和3年8月20日(2021.8.20)
【手続補正１】
【補正対象書類名】明細書
【補正対象項目名】０００６
【補正方法】変更
【補正の内容】
【０００６】
本発明に係るチリングユニットは、第１の圧縮機、第１の熱源熱交換器、第１の膨張部及び第１の冷媒熱媒体間熱交換器が第１の冷媒配管により接続され、冷媒が流れる第１の冷媒回路と、第２の圧縮機、第２の熱源熱交換器、第２の膨張部及び第２の冷媒熱媒体間熱交換器が第２の冷媒配管により接続され、冷媒が流れる第２の冷媒回路と、を有する上流系統回路と、第３の圧縮機、第３の熱源熱交換器、第３の膨張部及び第３の冷媒熱媒体間熱交換器が第３の冷媒配管により接続され、冷媒が流れる第３の冷媒回路と、第４の圧縮機、第４の熱源熱交換器、第４の膨張部及び第４の冷媒熱媒体間熱交換器が第４の冷媒配管により接続され、冷媒が流れる第４の冷媒回路と、を有する下流系統回路と、第１の冷媒熱媒体間熱交換器と第３の冷媒熱媒体間熱交換器とが第１の枝配管によって直列に接続され、第１の冷媒熱媒体間熱交換器から第３の冷媒熱媒体間熱交換器に向かって熱媒体が流れる第１の枝回路と、第２の冷媒熱媒体間熱交換器と第４の冷媒熱媒体間熱交換器とが第２の枝配管によって直列に接続され、第２の冷媒熱媒体間熱交換器から第４の冷媒熱媒体間熱交換器に向かって熱媒体が流れる第２の枝回路と、を有する熱媒体回路と、第１の枝配管の壁面に直接取り付けられた中間温度検出部と、熱媒体回路において第３の冷媒熱媒体間熱交換器及び第４の冷媒熱媒体間熱交換器の下流側に設けられ、熱媒体の温度を検出する出口温度検出部と、第１の圧縮機、第２の圧縮機、第３の圧縮機及び第４の圧縮機の動作を制御する制御部と、を備え、制御部は、中間温度検出部と出口温度検出部とのいずれか１つ以上によって検出された熱媒体の温度が温度閾値以下であるかを判定する判定手段と、判定手段によって熱媒体の温度が温度閾値以下と判定された場合、第１の圧縮機、第２の圧縮機、第３の圧縮機又は第４の圧縮機の運転周波数を増加させる増加手段と、を有する。
【手続補正２】
【補正対象書類名】特許請求の範囲
【補正対象項目名】全文
【補正方法】変更
【補正の内容】
【特許請求の範囲】
【請求項１】
第１の圧縮機、第１の熱源熱交換器、第１の膨張部及び第１の冷媒熱媒体間熱交換器が第１の冷媒配管により接続され、冷媒が流れる第１の冷媒回路と、第２の圧縮機、第２の熱源熱交換器、第２の膨張部及び第２の冷媒熱媒体間熱交換器が第２の冷媒配管により接続され、冷媒が流れる第２の冷媒回路と、を有する上流系統回路と、
第３の圧縮機、第３の熱源熱交換器、第３の膨張部及び第３の冷媒熱媒体間熱交換器が第３の冷媒配管により接続され、冷媒が流れる第３の冷媒回路と、第４の圧縮機、第４の熱源熱交換器、第４の膨張部及び第４の冷媒熱媒体間熱交換器が第４の冷媒配管により接続され、冷媒が流れる第４の冷媒回路と、を有する下流系統回路と、
前記第１の冷媒熱媒体間熱交換器と前記第３の冷媒熱媒体間熱交換器とが第１の枝配管によって直列に接続され、前記第１の冷媒熱媒体間熱交換器から前記第３の冷媒熱媒体間熱交換器に向かって熱媒体が流れる第１の枝回路と、前記第２の冷媒熱媒体間熱交換器と前記第４の冷媒熱媒体間熱交換器とが第２の枝配管によって直列に接続され、前記第２の冷媒熱媒体間熱交換器から前記第４の冷媒熱媒体間熱交換器に向かって熱媒体が流れる第２の枝回路と、を有する熱媒体回路と、
前記第１の枝配管の壁面に直接取り付けられた中間温度検出部と、
前記熱媒体回路において前記第３の冷媒熱媒体間熱交換器及び前記第４の冷媒熱媒体間熱交換器の下流側に設けられ、熱媒体の温度を検出する出口温度検出部と、
前記第１の圧縮機、前記第２の圧縮機、前記第３の圧縮機及び前記第４の圧縮機の動作を制御する制御部と、を備え、
前記制御部は、
前記中間温度検出部と前記出口温度検出部とのいずれか１つ以上によって検出された熱媒体の温度が温度閾値以下であるかを判定する判定手段と、
前記判定手段によって熱媒体の温度が温度閾値以下と判定された場合、前記第１の圧縮機、前記第２の圧縮機、前記第３の圧縮機又は前記第４の圧縮機の運転周波数を増加させる増加手段と、を有する
チリングユニット。
【請求項２】
前記第１の熱源熱交換器、前記第２の熱源熱交換器、前記第３の熱源熱交換器及び前記第４の熱源熱交換器に囲まれた空間を、前記上流系統回路が設けられる第１の室と、前記下流系統回路が設けられる第２の室とに区画する仕切部と、を更に備える
請求項１記載のチリングユニット。
【請求項３】
前記制御部は、
前記第１の冷媒回路において冷媒が前記第１の圧縮機、前記第１の冷媒熱媒体間熱交換器、前記第１の膨張部及び前記第１の熱源熱交換器の順に流れ、前記第２の冷媒回路において冷媒が前記第２の圧縮機、前記第２の冷媒熱媒体間熱交換器、前記第２の膨張部及び前記第２の熱源熱交換器の順に流れ、前記第３の冷媒回路において冷媒が前記第３の圧縮機、前記第３の冷媒熱媒体間熱交換器、前記第３の膨張部及び前記第３の熱源熱交換器の順に流れ、前記第４の冷媒回路において冷媒が前記第４の圧縮機、前記第４の冷媒熱媒体間熱交換器、前記第４の膨張部及び前記第４の熱源熱交換器の順に流れる加熱運転モードと、
前記第１の冷媒回路において冷媒が前記第１の圧縮機、前記第１の熱源熱交換器、前記第１の膨張部及び前記第１の冷媒熱媒体間熱交換器の順に流れ、前記第２の冷媒回路において冷媒が前記第２の圧縮機、前記第２の熱源熱交換器、前記第２の膨張部及び前記第２の冷媒熱媒体間熱交換器の順に流れ、前記第３の冷媒回路において冷媒が前記第３の圧縮機、前記第３の冷媒熱媒体間熱交換器、前記第３の膨張部及び前記第３の熱源熱交換器の順に流れ、前記第４の冷媒回路において冷媒が前記第４の圧縮機、前記第４の冷媒熱媒体間熱交換器、前記第４の膨張部及び前記第４の熱源熱交換器の順に流れる上流除霜加熱混在運転モードと、
前記第２の冷媒回路において冷媒が前記第２の圧縮機、前記第２の冷媒熱媒体間熱交換器、前記第２の膨張部及び前記第２の熱源熱交換器の順に流れ、前記第１の冷媒回路において冷媒が前記第１の圧縮機、前記第１の冷媒熱媒体間熱交換器、前記第１の膨張部及び前記第１の熱源熱交換器の順に流れ、前記第４の冷媒回路において冷媒が前記第４の圧縮機、前記第４の熱源熱交換器、前記第４の膨張部及び前記第４の冷媒熱媒体間熱交換器の順に流れ、前記第３の冷媒回路において冷媒が前記第３の圧縮機、前記第３の熱源熱交換器、前記第３の膨張部及び前記第３の冷媒熱媒体間熱交換器の順に流れる下流除霜加熱混在運転モードと、を有する
請求項１又は２記載のチリングユニット。
【請求項４】
前記増加手段は、
前記上流除霜加熱混在運転モードにおいて、前記第３の圧縮機及び前記第４の圧縮機の運転周波数を増加させる
請求項３記載のチリングユニット。
【請求項５】
前記増加手段は、
前記下流除霜加熱混在運転モードにおいて、前記第１の圧縮機及び前記第２の圧縮機の運転周波数を増加させる
請求項３又は４記載のチリングユニット。
【請求項６】
請求項１〜５のいずれか１項に記載のチリングユニットが複数設けられ、
前記増加手段は、
複数の前記チリングユニットが有する各前記出口温度検出部によって検出された出口温度に基づいて、各前記第１の圧縮機、各前記第２の圧縮機、各前記第３の圧縮機又は各前記第４の圧縮機の運転周波数を増加させる
空気調和システム。
【国際調査報告】
2021024404.tif 000016
2021024404.tif 000017
2021024404.tif 000018
2021024404.tif 000019
2021024404.tif 000020
2021024404.tif 000021